(57)【特許請求の範囲】
【請求項１】
プラズマディスプレイパネル用の背面板、前面板の作製に用いられるガラス基板等の基板の端面に、生産工程管理用の情報として、読み取りの切り出しシンボルを持つＱＲコードを付与し、適時、付与されたＱＲコードを、ＱＲコードの情報が読み取りできないように破壊し、ＱＲコードの情報の外部への流出を防止することを特徴とする生産工程管理方法。
【請求項２】
請求項１に記載の生産工程管理方法であって、前記破壊が、レーザ光の照射により行われることを特徴とする生産工程管理方法。
【請求項３】
生産工程管理用に、読み取りの切り出しシンボルを持つ、ＱＲコードを、その端面に設けたことを特徴とするＩＤ付基板。
【請求項４】
請求項３に記載のＩＤ付基板であって、プラズマディスプレイ用の背面板あるいは前面板の作製に用いられる基板であることを特徴とするＩＤ付基板。
【発明の詳細な説明】
【０００１】
【発明の属する技術分野】
本発明は、プラズマディスプレイパネル用の背面板、前面板の作製に用いられるガラス基板等の基板の生産工程管理方法に関するもので、特に、基板の生産工程管理用に付与したＩＤコードの情報が外部への流出するのを防止できる生産管理方法に関する。
【０００２】
【従来の技術】
近年、プラズマディスプレイパネル（以下ＰＤＰとも記す）は、その奥行きの薄いこと、軽量であること、更に鮮明な表示と液晶パネルに比べ視野角が広いことにより、種々の表示装置に利用されつつある。
一般に、プラズマディスプレイパネル（ＰＤＰ）は、２枚の対向するガラス基板にそれぞれ規則的に配列した一対の電極を設け、その間にネオン、キセノン等を主体とするガスを封入した構造となっている。そして、これらの電極間に電圧を印加し、電極周辺の微小なセル内で放電を発生させることにより、各セルを発光させて表示を行うようにしている。特に情報表示をするためには、規則的に並んだセルを選択的に放電発光させている。
【０００３】
ここで、ＰＤＰの構成を、図６に示すＡＣ型ＰＤＰの１例を挙げて説明しておく。
図６はＰＤＰ構成斜視図であるが、分かり易くするため前面板（ガラス基板６１０）、背面板（ガラス基板６２０）とを実際より離して示してある。
図６に示すように、２枚のガラス基板６１０、６２０が互いに平行に且つ対向して配設されており、両者は背面板となるガラス基板６２０上に互いに平行に設けられた障壁（セル障壁とも言う）６３０により、一定の間隔に保持されている。
前面板となるガラス基板６１０の背面側には、放電維持電極である透明電極６４０とバス電極である金属電極６５０とで構成される複合電極が互いに平行に形成され、これを覆って、誘電体層６６０が形成されており、更にその上に保護層（ＭｇＯ層）６７０が形成されている。
また、背面板となるガラス基板６２０の前面側には前記複合電極と直交するように障壁６３０間に位置してアドレス電極６８０が互いに平行に形成されており、更に障壁６３０の壁面とセル底面を覆うように螢光面６９０が設けられている。
障壁６３０は放電空間を区画するためのもので、区画された各放電空間をセルないし単位発光領域と言う。
このＡＣ型ＰＤＰは面放電型であって、前面板上の複合電極間に交流電圧を印加し、で放電させる構造である。この場合、交流をかけているために電界の向きは周波数に対応して変化する。そして、この放電により生じる紫外線により螢光体６９０を発光させ、前面板を透過する光を観察者が視認できるものである。
なお、ＤＣ型ＰＤＰにあっては、電極は誘電体層で被膜されていない構造を有する点でＡＣ型と相違するが、その放電効果は同じである。
また、図６に示すものは、ガラス基板６２０の一面に下地層６６７を設けその上に誘電体層６６５を設けた構造となっているが、下地層６６７、誘電体層６６５は必ずしも必要としない。
【０００４】
そして、ＡＣ型のプラズマディスプレイ（ＰＤＰ）は、例えば、図５に示すようにして、作製されていた。
図５はＡＣ型のＰＤＰ作製工程を示したもので、背面板、前面板をそれぞれ別個の工程で作製し、両者を用いてＰＤＰをアセンブリするものである。
尚、図５中、Ｓ５１〜Ｓ５５、Ｓ６１〜Ｓ６５、Ｓ７１〜Ｓ７４は処理ステップを示す。
先ず、背面板の作製工程を説明する。
はじめに、ガラス基板を用意し（Ｓ５１）、ガラス基板に厚膜印刷法により陰極用（電極配線用）ペーストを所定パターンで印刷し、これを乾燥、焼成し、電極配線を形成する。（Ｓ５２）
次いで、このガラス基板の電極配線形成側上に障壁（バリアリブとも言う）を、印刷法ないしサンドブラスト法により形成する。（Ｓ５３）
印刷法の場合、ガラス基板に厚膜印刷法により障壁（バリアリブ）形成用ペーストを所定のパターンに印刷し、これを乾燥する。障壁の層厚は厚く（例えば１６０り２００μｍの厚さ）１回の厚膜印刷ではこの膜厚が得られないため、障壁形成用ペーストの印刷および乾燥は複数回行う。所定の膜厚が得られた後、ペーストの焼成がなされる。
サンドブラスト法の場合は、障壁形成材料をガラス基板上に塗布し、更にこの上に所定のレシストパターンを形成した後、研磨砂を吹きかけレジストパターンに対応した形状に障壁形成材料を加工して、これを焼成して障壁を形成する。
更に、障壁が形成された基板に厚膜印刷法により蛍光体用ペースト（例えば、酸化インジウム含有の螢光体用ペースト）を所定パターンに印刷し、次いでその乾燥及び焼成を行い（Ｓ５４）、背面板を形成する。（Ｓ５５）
【０００５】
次に、前面板の作製工程を説明する。
先ず、ガラス基板を用意し（Ｓ６１）、ガラス基板に例えばＩＴＯ（Ｉｎｄｉｕｍ  Ｔｉｎ  Ｏｘｉｄｅ）の蒸着層をパターニングする。（Ｓ６１）
パターニングは通常のフォトリソ工程（リソグラフィー技術）により行う。
次いで、Ｃｒ−Ｃｕ−Ｃｒ（クロム、銅、クロム）の３層を蒸着やスパッタリングにより成膜し、同様にフォトリソ工程（リソグラフィー技術）によりパターニングして、あるいは電極配線用ペーストを所定パターンで印刷して、パターニングされたＩＴＯ膜とともに、放電用の電極配線を形成する。（Ｓ６３）
次いで、ペースト状にした低融点ガラスのベタ印刷により、透明誘電体層を形成して（Ｓ６４）、前面板が得られる。（Ｓ６５）
【０００６】
次いで、このようにして得られた、背面板、前面板を用い、以下のようにしてＰＤＰを作製する。
先ず、前面板及び背面板の位置合わせを行い、その状態で両基板の縁部分にシール用鉛ガラスを塗布し、次いでシールが行われる。（Ｓ７１）
次に、両基板（背面板と前面板）及びシール部で囲われる空隙内が排気管を介して排気された後、この排気管を介して上述の空隙に放電ガスが封入される。（Ｓ７２）
その後、排気管の焼きちぎり（チップオフ）を行い、ドライバＩＣ取付けを行い（Ｓ７３）、ＰＤＰ（プラズマディスプレイうパネル）が得られる。（Ｓ７４）
【０００７】
上記のように、ＰＤＰの作製に際し、これに使用する背面板、前面板は、それぞれ、各種工程を経て、電極配線部、障壁部、螢光体部、誘電体層部等が形成され、併せてＰＤＰとなるが、各工程においては、更に検査、修正等が加わるため、背面板、前面板形成用の各ガラス基板毎に品質や履歴が異なることも多かった。
これ故、通常、各ガラス基板毎の履歴確認、品質確認等のため、各基板の表面または裏面に、生産工程管理用のＩＤを付与する方法が採られていた。
しかし、このようにして各ガラス基板に付与されたＩＤが、ガラス基板ないしＰＤＰとともに、出荷先へ流出された場合、ガラス基板ないしＰＤＰ生産過程での内部情報が外部へ流出されることとなり、不具合が発生する場合が多々ある。
【０００８】
【発明が解決しようとする課題】
このように、プラズマディスプレイパネルの作製においては、これに使用する背面板、前面板の、生産工程管理用にＩＤコードを付与した場合、ＩＤ情報が外部に流出する不具合が生じるため、できるだけ簡単にこれに対応できる方法が求められていた。
本発明は、これに対応するもので、プラズマディスプレイパネル用の背面板、前面板の作製に用いられる基板等の基板に、生産工程管理用にＩＤコードの情報を付与して用い、且つ、ＩＤ情報が外部に流出するのを防止できる生産工程管理方法を提供しようとするものである。
【０００９】
【課題を解決するための手段】
本発明の生産工程管理方法は、プラズマディスプレイパネル用の背面板、前面板の作製に用いられるガラス基板等の基板の端面に、生産工程管理用の情報として、読み取りの切り出しシンボルを持つＱＲコードを付与し、適時、付与されたＱＲコードを、ＱＲコードの情報が読み取りできないように破壊し、ＱＲコードの情報の外部への流出を防止することを特徴とするものである。
そして、上記の生産工程管理方法であって、前記破壊が、レーザ光の照射により行われることを特徴とするものである。
【００１０】
本発明のＩＤ付基板は、生産工程管理用に、読み取りの切り出しシンボルを持つ、ＱＲコードを、その端面に設けたことを特徴とするものである。
そして、上記のＩＤ付基板であって、プラズマディスプレイ用の背面板あるいは前面板の作製に用いられる基板であることを特徴とするものである。
【００１１】
尚、ここでは、ＩＤとは個々の基板に付けられた個別情報のことを意味し、ＩＤコードとは該個別情報を個々の基板に付けるためのコードのことで、二次元ＩＤコードとは該個別情報を個々の基板に付けるための二次元コードのことである。
また、マトリックス式の二次元ＩＤコードは、図４（ａ）（ロ）に示すような、スキャナー４２０により、縦、横に走査して、ＩＤコード４１０の情報を捉えるもので、読みとりのスキャナ４２０はＣＣＤエリアセンサのタイプのものが多い。読み取り時にＩＤコード４１０を縦、横の面でとらえて認識するが、各ＩＤコードには、それぞれ得られた画像データから、データコード４１１（図４（ａ）（イ））の位置（角度）を認識をするためのしくみを持っているので、３６０°全方向からの読み取りが可能となっている。
通常、二次元コードは、図４（ａ）（イ）に示すようなデータコード４１１が一般的で、白黒（有無）の並びで情報（コード）を表現している。そして、Ｌ型ガイドセル４１５により、スキャナーにより取り込まれた画像データからコードの並びが認識される。
図４（ａ）（イ）に示すような、データコード４１１については、書き込みパターンとネガポジ反転したパターンを上書きすることで読出不能とすることができるが、書き込みの位置決めに精度が要求される。
これに対し、図４（ｂ）に示すＱＲコード４３０は、通常、情報をドット表現するデータコード部４３１と、スキャナーで読み取った画像からコード部を認識するための切り出し用シンボル４３５からなる。
切り出し用シンボル４３５は、スキャナーで読み取った画像データから、データコード部４３１の位置（角度）やデータコード部４３１の構造（ドットのサイズ、ピッチ等）を認識をするための情報をもつシンボルマークである。３個の切り出し用シンボル４３５を設けていることにより、スキャナーで読み取った画像データから、データコード部４３１の位置（角度）を認識し、例えば、切り出し用シンボル４３５の中心間距離により、データコード部４３１のドットのサイズを認識させ、切り出し用シンボル４３５の矩形の、外周と内周とのサイズ比により、データコード部４３１のドットのピッチを認識させている。
ＱＲコード４３０はこのような構造であるため、切り出しシンボル４３５の構成セルを上書き等、破壊することによって、容易に書き込み内容の読み出しを不可能にすることができる。
また、蒸着膜もしくは耐熱セラミックシートを用いたＩＤコードであれば、レーザ照射により容易に書込み内容の破壊が可能である。
ＩＤコードが読み取れなくなるように、上書きしたり、機械的な破壊を行うことをここではＩＤコードの破壊と言う。
【００１２】
【作用】
本発明の生産工程管理方法は、このような構成にすることにより、プラズマディスプレイパネル用の背面板、前面板の作製に用いられる基板等の基板に、生産工程管理用にＩＤコードの情報を付与して用い、且つ、ＩＤ情報が外部に流出するのを防止できる生産工程管理方法の提供を可能としている。
具体的には、プラズマディスプレイパネル用の背面板、前面板の作製に用いられるガラス基板等の基板に、生産工程管理用の情報としてＩＤコードを付与し、適時、付与されたＩＤコードを、ＩＤコードの情報が読み取りできないように破壊し、ＩＤコードの情報の外部への流出を防止することにより、これを達成している。
ＩＤコードとしては、読み取りの切り出しシンボルを持つ、二次元バーコードが好ましい。この理由は、工程管理用に用いる場合には読み取りが、３６０°全方向について行え、情報の読み取りができないようにするには、その読み取りのシンボルを破壊することだけでも効果があるためである。
読み取りの切り出しシンボルを持つ、二次元バーコードとしては、ＱＲコードが挙げられる。
読み取りができないようにするための破壊は、バーコードをレーザ光の照射により行うのが簡単で実用的である。
【００１３】
本発明のＩＤ付基板は、このような構成にすることにより、ＩＤコードの情報により生産工程管理ができ、且つ、基板を外部へ出荷する前にＩＤコードを破壊することによりＩＤコードの情報の外部流出を防止できるものとしている。
【００１４】
【発明の実施の形態】
本発明を、実施の形態を挙げて更に説明する。
まず、本発明の生産工程管理方法の実施の形態の第１の例、第２の例を図１に基づいて説明する。
図１は本発明の生産工程管理方法の実施の形態の第１の例、第２の例を説明するためのＰＤＰ用の背面板の製造工程図で、図２は本発明の基板の実施の形態の１例を示した図である。
図１中のＳ１１０〜１６０は処理（工程）ステップを示す。
尚、図２（ｂ）はＱＲコードを用いた場合のＩＤコード部１２０の拡大図で、図３は、図２（ｂ）に示すＱＲコード１２０Ａの切り出しシンボル１２５等をレーザ照射により破壊した図を示したものである。
【００１５】
はじめに、第１の例を説明する。
第１の例は、各ガラス基板に対し、端面に、工程管理用のＱＲコードを設け、データコードの中に、各工程における処理方法や処理条件等のデータを書き込んでおくものである。
即ち、品種が多種にわたる場合等、基板により処理方法、処理条件が異なる場合に、各ガラス基板に合った処理、条件等の情報をＱＲコード内に書き込み、ＩＤコードとして利用し、ＱＲコードの内容を読み取ることにより、各ガラス基板毎の処理方法や処理条件を決めるものである。
尚、ＱＲコードは、図２（ｂ）に示すように、各ガラス基板の端面に設けておくのが作業上好ましい。
第１の例の場合は、ガラス基板が用意され（Ｓ１１０）、各ガラス基板毎に、処理方法、処理条件等、生産工程管理用の情報が付与されたＱＲコードが設けられる（Ｓ１１１）と、このＱＲコードの内容を各工程（Ｓ１２０〜Ｓ１４４）の前段階で読み取り（図は省略）、ＱＲコードの内容に従った処理方法、条件にて各工程を実施する。
そして、書かれたＱＲコードが外部に流出しないように、最終工程の後に、ＱＲコードをレーザ光により破壊する。（Ｓ１５０）
ＱＲコードの破壊は、図３に示すように、切り出しシンボルやデータコード部を機械的にレーザ光により消去するものである。
図３（ａ）に示すように切り出しシンボル１２５のみをレーザ照射により破壊しても良いし、図３（ｂ）に示すように、切り出しシホンボル１２５とデータコード１２３の一部を破壊しても良い。尚、ＱＲコードを全て破壊しても良いことは言うまでもない。
ＱＲコードが破壊されたガラス基板は、背面板としてＰＤＰのアセンブリ工程へと供給される。
【００１６】
次いで第２の例を説明する。
第２の例は、図１に示すＰＤＰ用の背面板の作製工程において、主に検査、修正の（品質管理を含む）工程管理方法として、各背面板用の各ガラス基板の端面に図２（ｂ）に示すようなＱＲコード１２０Ａを設けたもので、且つ、書かれたＱＲコード１２０Ａの情報が外部に流出しないように、最終工程の後に、ＱＲコード１２０Ａの切り出しシンボル１２５をＣＯ2 レーザーマーカーにより上書きして、実質的にＱＲコード１２０Ａを破壊するものである。
先ず、背面板用のガラス基板を用意する。（Ｓ１１０）
次いで、ガラス基板に厚膜印刷法により陰極用（電極配線用）ペーストを所定パターンで印刷し、これを乾燥、焼成し、電極配線を形成する。（Ｓ１２０）
電極配線を形成した後、画像処理を伴う欠陥検査や、プローブにより電気的な導通検査を行い、配線の断線や、短絡、他の形状不良を抽出する。
検査後、各ガラス基板の端面にその検査結果に対応した情報をＱＲコードで書き込む。（Ｓ１２２）
検査後、各ガラス基板は、次の電極配線の欠陥の修正工程へと送られるが、先ず、各基板毎に、前の検査工程で書き込まれたＱＲコードの内容を読み取り（Ｓ１２３）、これに対応して処理する。
必要な場合は、修正結果についても、ＱＲコードで書き込む。（Ｓ１２４）
次いで、このガラス基板の電極配線形成側上に障壁（バリアリブとも言う）を、サンドブラスト法により形成する。（Ｓ１３０）
障壁形成後、光学的な目視検査や画像処理を伴う欠陥検査より、障壁部の凹欠陥、凸欠陥を抽出する。
検査後、各ガラス基板の端面にその検査結果に対応した情報をＱＲコードで書き込む。（Ｓ１３２）
検査後、各ガラス基板は、次の障壁の欠陥修正工程へと送られるが、先ず、各基板毎に、前の検査工程で書き込まれたＱＲコードの内容を読み取り（Ｓ１３３）、これに対応して処理する。
必要な場合は、修正結果についても、ＱＲコードで書き込む。（Ｓ１３４）
更に、障壁が形成されたガラス基板に、厚膜印刷法により蛍光体用ペースト（例えば、酸化インジウム含有の螢光体用ペースト）を所定パターンに印刷し、次いでその乾燥及び焼成を行う。（Ｓ１４０）
蛍光体用ペースト形成工程後も、必要に応じ、検査工程（Ｓ１４１）、修正工程（Ｓ１４４）を行うが、この場合も、検査工程（Ｓ１４１）の後に、ＱＲコードの書き込み（Ｓ１４２）、修正工程（Ｓ１４４）の前にＱＲコードの読み取り（Ｓ１４３）を行う。
次いで、ＣＯ2 レーザーマーカーにより、全てのＱＲコード部に対し、ＱＲコードの切り取りシンボルを上書きし、ＱＲコードを破壊しておく。（Ｓ１５０）ＱＲコードは、図３（ｂ）に示すように、データコード１２３と切り出しシンボル１２５とからなるが、切り出しシンボル１２５をＣＯ2 レーザーマーカーにより上書きすることにより、スキャナーによるデータコード１２３の内容の読出ができないようにする。
【００１７】
図１は背面板の工程に本発明の生産管理方法を適用したものであるが、前面板の工程にも適用できることは言うまでもない。更には、ＰＤＰ以外の基板を用いて加工するような工程全てに適用できる。
尚、図１に示す工程にて作製された背面板はＱＲコードが破壊されているから、その生産工程におけるＱＲコードで表された情報が外部に流出することはない。
【００１８】
次に、本発明のＩＤ付基板の実施の形態の１例を図２に基づいて説明する。
図２、図３中、１１０は基板（ガラス基板）、１２０はＩＤコード部、１２０ＡはＱＲコード、１２３はデータコード、１２３Ａは破壊されたデータコード、１２５切り出しシンボルである。
図２（ａ）に示すように、ＩＤコード部１２０を基板１１０の端面に設けておくと、例えば、ＰＤＰのような大型のガラス基板をケース等に入れておいた場合にも、その端面のＩＤコード部１２０をスキャナーで読み取ることができる。
また、ＩＤコード部１２０を基板１１０の端面に設けておくと、ガラス基板に対し、電極基板等を効率的に形成することもできる。
ＩＤコード部１２０としては、二次元ＩＤコードが、読み取りの際のスキャナーの角度の自由度という点で好ましいが、特に、図２（ｂ）に示すようなＱＲコード１２０Ａが、破壊しやすい点で好ましい。
ＩＤコード部１２０の材質としては、各ガラス基板の処理に対応できるものを用いることが好ましい。
特に、レーザ光の照射により、ＩＤコード部１２０の情報を破壊するためには、ＩＤコード部１２０を蒸着膜もしくは耐熱セラミックシートにて形成しておくのが好ましい。
【００１９】
【発明の効果】
本発明は、上記のように、プラズマディスプレイパネル用の背面板、前面板の作製に用いられる基板等の基板に、生産工程管理用にＩＤコードの情報を付与して用い、且つ、ＩＤ情報が外部に流出するのを防止できる生産工程管理方法の提供を可能とした。
【図面の簡単な説明】
【図１】本発明の生産工程管理方法の実施の形態の第１の例および第２例を示したＰＤＰ用背面板の作製工程図
【図２】本発明の基板の実施の形態の１例を示した図
【図３】ＱＲコードを破壊した図
【図４】二次元ＩＤコードを説明するための図
【図５】ＰＤＰの製造工程を説明するための工程図
【図６】ＰＤＰ基板を説明するための図
【符号の説明】
１１０                  基板（ガラス基板）
１２０                  ＩＤコード部
１２０Ａ                ＱＲコード
１２３                  データコード
１２３Ａ                破壊されたデータコード
１２５                  切り出しシンボル
４１０                  ＩＤコード
４１１                  データコード
４１５                  Ｌ字ガイドセル
４２０                  スキャナー
４２５                  走査線
４３０                  ＱＲコード
４３１                  データコード
４３５                  切り出しシボル
【図１】
0003898326.tif 000002
【図２】
0003898326.tif 000003
【図３】
0003898326.tif 000004
【図４】
0003898326.tif 000005
【図５】
0003898326.tif 000006
【図６】
0003898326.tif 000007